(57)【要約】【課題】バネ座金を用いることなく第１の物体を雄螺子にて螺子止めすることができ、しかも、雄螺子の弛緩を防ぐことができる螺子止構造、螺子止構造を備える光源装置、及び該光源装置を備える表示装置を提供する。【解決手段】取付孔３４を有する支持体３に、取付孔３４に対応する貫通孔６３を有する補強杆６を、貫通孔６３へ挿入して取付孔３４に螺入される雄螺子５にて螺子止めする螺子止構造であり、支持体３及び補強杆６の少なくとも一方に、貫通孔６３を配してある可撓板部６１を設け、該可撓板部６１を支持体３及び補強杆６の他方から厚さ方向へ離隔させる凸部６２，６２を設け、雄螺子５の螺入力にて可撓板部６１を撓ませ、弾性復元力を雄螺子５に加えるようにした。【選択図】図５
2011052749.tif 000002
【特許請求の範囲】
【請求項１】
第１の孔を有する第１の物体に、前記第１の孔に対応する第２の孔を有する第２の物体を、前記第２の孔へ挿入して前記第１の孔に螺入される雄螺子にて螺子止めする螺子止構造において、前記第１及び第２の物体の一方は、前記孔を配してある可撓板部を有しており、該可撓板部を前記第１及び第２の物体の他方から前記可撓板部の厚さ方向へ離隔させる凸部を備えることを特徴とする螺子止構造。
【請求項２】
前記一方は金属板により形成されている請求項１記載の螺子止構造。
【請求項３】
前記第１及び第２の物体の一方は、該一方が有する前記孔を中心とするラジアル方向両側へ離隔した位置に前記凸部を配してある請求項１又は２記載の螺子止構造。
【請求項４】
前記可撓板部の縁に連なる半筒体を有し、該半筒体の先部に前記凸部を配してある請求項１記載の螺子止構造。
【請求項５】
一側に光源を支持する前記第２の物体と、請求項１から４のいずれか一つに記載の螺子止構造にて前記第２の物体の他側に螺子止めされる前記第１の物体とを備えることを特徴とする光源装置。
【請求項６】
前記第１の物体は、前記第２の物体を補強する補強杆である請求項５記載の光源装置。
【請求項７】
前記第２の物体の他側に該第２の物体を補強する補強杆が装着されており、前記第１の物体は前記補強杆に雄螺子にて螺子止めされる付設部品である請求項５記載の光源装置。
【請求項８】
前記第２の物体の他側には電子部品が実装されている回路基板が装着されており、前記第１の物体は前記回路基板に対して電磁波を遮断するシールドカバーである請求項５記載の光源装置。
【請求項９】
一側に表示面を有する表示部と、該表示部の他側に配されている請求項５から８のいずれか一つに記載の光源装置とを備えることを特徴とする表示装置。
【請求項１０】
前記第１の物体は、前記表示部及び光源装置を支持するスタンドである請求項９記載の表示装置。
【請求項１１】
前記第２の物体には支柱が装着されており、前記第１の物体は、前記支柱の端部に螺子止めされる基台である請求項９記載の表示装置。
【発明の詳細な説明】
【技術分野】
【０００１】
本発明は雄螺子にて第１の物体を第２の物体に螺子止めする螺子止構造、該螺子止構造にて螺子止めされている物体を有する光源装置、及び該光源装置を備える表示装置に関する。
【背景技術】
【０００２】
液晶テレビジョン等の薄型の表示装置は、画像を表示する表示面を前側に有する表示部の後側に、複数の光源と、該光源を前側で支持する支持体及び該支持体の後側に装着され、該支持体を補強する補強桟とを有する光源装置が配されている（例えば、特許文献１参照）。前記支持体は、直方体をなす枠部材と、該枠部材の前側開放部を閉鎖する蓋板とを有し、枠部材の後側開放部に前記補強桟が固定されている。この補強桟には、長手方向両側にカシメ加工にて固定された第１突起と、第１突起間にカシメ加工にて固定された第２突起とを有し、第１突起及び第２突起の先端に前記蓋板を結合することにより、該蓋板を反らせ、光源装置の振動により蓋板が共振するのを抑制するようになしてある。
【０００３】
また、液晶テレビジョン等の薄型の表示装置は、前記光源装置における支持体の後側に電源回路基板等の被螺子止部品が雄螺子にて螺子止めされている（例えば、特許文献２参照）。
【先行技術文献】
【特許文献】
【０００４】
【特許文献１】特開２００７−１０８３４６号公報
【特許文献２】特開２００６−２８６３４１号公報
【発明の概要】
【発明が解決しようとする課題】
【０００５】
ところが、特許文献１のように蓋板の全体を反らせて、該蓋板に弾性復元力を加える構成にあっては、補強桟に過大の負荷が加わるため、補強桟の剛正を高くする必要があり、また、第１突起、第２突起の固定及び蓋板の結合を雄螺子で行う場合、該雄螺子の弛緩を防ぐためのバネ座金が必要であり、部品点数が増加し、螺子止め作業性も悪くなるという問題があった。
【０００６】
また、特許文献２のように電源回路基板等の被螺子止部品が雄螺子にて螺子止めされる場合にあっても、該雄螺子の弛緩を防ぐためのバネ座金が必要であり、部品点数が増加し、螺子止め作業性も悪くなるという問題があった。
【０００７】
本発明は斯かる事情に鑑みてなされたものであり、主たる目的はバネ座金を用いることなく被螺子止部品を雄螺子にて螺子止めすることができ、しかも、雄螺子の弛緩を防ぐことができる螺子止め構造、螺子止め構造を備える光源装置、及び該光源装置を備える表示装置を提供することにある。
【課題を解決するための手段】
【０００８】
本発明に係る螺子止構造は、第１の孔を有する第１の物体に、前記第１の孔に対応する第２の孔を有する第２の物体を、前記第２の孔へ挿入して前記第１の孔に螺入される雄螺子にて螺子止めする螺子止構造において、前記第１及び第２の物体の一方は、前記孔を配してある可撓板部を有しており、該可撓板部を前記第１及び第２の物体の他方から前記可撓板部の厚さ方向へ離隔させる凸部を備えることを特徴とする。
【０００９】
この発明にあっては、孔を配してある可撓板部が第１及び第２の物体の他方と凸部にて離隔し、可撓板部を撓ませることが可能になっているため、第２の物体の孔に挿入される雄螺子が第１の物体の孔に螺入されるとき、雄螺子の螺入力にて可撓板部を厚さ方向へ撓ませることができるとともに、可撓板部の弾性復元力を雄螺子に加えることができ、該雄螺子の弛緩を防ぐことができる。よって、バネ座金が必要でなく、部品点数を少なくすることができるとともに、螺子止め作業性を高めることができる。
【００１０】
また、本発明に係る螺子止構造は、前記一方は金属板により形成されている構成とするのが好ましい。
この発明にあっては、可撓板部を有する物体を簡易に得ることができる。
【００１１】
また、本発明に係る螺子止構造は、前記第１及び第２の物体の一方は、該一方が有する前記孔を中心とするラジアル方向両側へ離隔した位置に前記凸部を配してある構成とするのが好ましい。
この発明にあっては、孔を配してある可撓板部と、２箇所の凸部とを一体に成形することができるため、第１及び第２の物体の他方を既存の構造にすることができる。
【００１２】
また、本発明に係る螺子止構造は、前記可撓板部の縁に連なる半筒体を有し、該半筒体の先部に前記凸部を配してある構成とするのが好ましい。
この発明にあっては、孔の縁から凸部に亘って可撓にすることができ、可撓部分の面積を多くすることができるため、可撓板部での弾性復元力を高めることができ、雄螺子の弛緩をより一層防ぐことができる。
【００１３】
また、本発明に係る光源装置は、一側に光源を支持する前記第２の物体と、前述した発明の螺子止構造にて前記第２の物体の他側に螺子止めされる前記第１の物体とを備えることを特徴とする。
この発明にあっては、第１の物体が凸部にて第２の物体から離隔し、第１の物体を撓ませることが可能になっているため、第１の物体の孔に挿入される雄螺子が第２の物体の孔に螺入されるとき、雄螺子の螺入力にて第１の物体を撓ませることができるとともに、第１の物体の弾性復元力を雄螺子に加えることができ、該雄螺子の弛緩を防ぐことができる。よって、バネ座金が必要でなく、部品点数を少なくすることができるとともに、螺子込み作業性を高めることができる。
【００１４】
また、本発明に係る光源装置は、前記第１の物体は、前記第２の物体を補強する補強杆である構成とするのが好ましい。
この発明にあっては、バネ座金を用いることなく補強杆を雄螺子にて螺子止めすることができるとともに、雄螺子の弛緩を防ぐことができ、補強杆の螺子止め状態を維持することができる。
【００１５】
また、本発明に係る光源装置は、前記第２の物体の他側に該第２の物体を補強する補強杆が装着されており、前記第１の物体は前記補強杆に雄螺子にて螺子止めされる付設部品である構成とするのが好ましい。
この発明にあっては、バネ座金を用いることなく付設部品を雄螺子にて螺子止めすることができるとともに、雄螺子の弛緩を防ぐことができ、付設部品の螺子止め状態を維持することができる。
【００１６】
また、本発明に係る光源装置は、前記第２の物体の他側には電子部品が実装されている回路基板が装着されており、前記第１の物体は前記回路基板に対して電磁波を遮断するシールドカバーである構成とするのが好ましい。
この発明にあっては、バネ座金を用いることなくシールドカバーを雄螺子にて螺子止めすることができるともに、雄螺子の弛緩を防ぐことができ、シールドカバーの螺子止め状態を維持することができる。
【００１７】
また、本発明に係る表示装置は、一側に表示面を有する表示部と、該表示部の他側に配されている前述した発明の光源装置とを備えることを特徴とする。
この発明にあっては、光源装置が備える第１の物体が凸部にて第２の物体から離隔し、第１の物体を撓ませることが可能になっているため、第１の物体の孔に挿入される雄螺子が第２の物体の孔に螺入されるとき、雄螺子の螺入力にて第１の物体を撓ませることができるとともに、第１の物体の弾性復元力を雄螺子に加えることができ、該雄螺子の弛緩を防ぐことができる。よって、バネ座金が必要でなく、部品点数を少なくすることができるとともに、螺子込み作業性を高めることができる。
【００１８】
また、本発明に係る表示装置は、前記第１の物体は、前記表示部及び光源装置を支持するスタンドである構成とするのが好ましい。
この発明にあっては、バネ座金を用いることなくスタンドを雄螺子にて螺子止めすることができるとともに、雄螺子の弛緩を防ぐことができ、スタンドの螺子止め状態を維持することができる。
【００１９】
また、本発明に係る表示装置は、前記第２の物体には支柱が装着されており、前記第１の物体は、前記支柱の端部に螺子止めされる基台である構成とするのが好ましい。
この発明にあっては、バネ座金を用いることなく基台を雄螺子にて螺子止めすることができるとともに、雄螺子の弛緩を防ぐことができ、基台の螺子止め状態を維持することができる。
【発明の効果】
【００２０】
本発明によれば、孔を配してある可撓板部が第１及び第２の物体の他方と凸部にて離隔し、可撓板部を撓ませることが可能になっているため、第２の物体の孔に挿入される雄螺子が第１の物体の孔に螺入されるとき、雄螺子の螺入力にて可撓板部を厚さ方向へ撓ませることができるとともに、可撓板部の弾性復元力を雄螺子に加えることができ、該雄螺子の弛緩を防ぐことができる。よって、バネ座金が必要でなく、部品点数を少なくすることができるとともに、螺子止め作業性を高めることができる。
【図面の簡単な説明】
【００２１】
【図１】本発明に係る表示装置の構成を示す一部を省略した縦断側面図である。
【図２】本発明に係る表示装置の構成を示す背面図である。
【図３】本発明に係る表示装置のキャビネットが省略された状態の構成を示す背面図である。
【図４】図３のIV−IV線拡大断面図である。
【図５】図４の仮想円部分を拡大した断面図である。
【図６】補強杆の螺子止部分の構成を示す拡大断面図である。
【図７】本発明に係る表示装置のキャビネットが省略された状態の構成を示す斜視図である。
【図８】補強杆の構成を示す斜視図である。
【図９】補強杆の構成を示す一部を拡大した斜視図である。
【図１０】本発明に係る光源装置の他の構成を示す一部を拡大した断面図である
【図１１】本発明に係る光源装置の他の構成を示す一部を拡大した断面図である。
【図１２】本発明に係る光源装置の他の構成を示す一部を拡大した断面図である。
【図１３】本発明に係る光源装置の他の構成を示す一部を拡大した断面図である。
【図１４】本発明に係る螺子止構造の適用例を示す説明図である。
【図１５】本発明に係る螺子止構造の適用例を示す説明図である。
【発明を実施するための形態】
【００２２】
以下本発明をその実施の形態を示す図面に基づいて詳述する。
実施の形態１
図１は本発明に係る表示装置の構成を示す一部を省略した縦断側面図、図２は表示装置の構成を示す背面図、図３は表示装置のキャビネットが省略された状態の構成を示す背面図、図４は図３のIV−IV線拡大断面図、図５は図４の仮想円部分を拡大した断面図、図６は補強杆の螺子止部分の構成を示す拡大断面図、図７は表示装置のキャビネットが省略された状態の構成を示す斜視図である。
【００２３】
図示した表示装置は前側に表示面を有し略直方体をなす表示部１と、該表示部１の後側に配置され、光源としての発光ダイオード２及び該発光ダイオード２を支持する支持体３を有する光源装置Ａと、該光源装置Ａ及び表示部１の間に配され、発光ダイオード２が発光した光を表示部１へ入射する光学シート４と、支持体３の後面に雄螺子５にて螺子止めされている二つの補強杆６と、表示部１の周縁部及び光源装置Ａの後側を被覆するキャビネット７と、補強杆６の端部に取付けられ、表示部１及び光源装置Ａを起立状態で支持するスタンド８とを有する。
【００２４】
表示部１は、前側に表示面を有する表示パネル１１と、該表示パネル１１の周縁部を前後で挾持して保持する保持枠体１２を有し、周縁部が支持体３に支持されている。
【００２５】
光学シート４は、発光ダイオード２が発光した光を拡散する比較的厚肉で、透光性及び可撓性を有する拡散板と、反射偏光シート、プリズムシート、拡散シート等の比較的薄肉で、透光性及び可撓性を有する合成樹脂シートとが積層された積層体であり、表示部１に対応して略直方形に形成されており、周縁部が支持体３に支持されている。
【００２６】
光源装置Ａは、碁盤目のように並置される複数の発光ダイオード２と、該発光ダイオード２を一面に実装してあり、複数列に並置される複数の発光ダイオード基板９と、隣合う発光ダイオード基板９，９同士を接続してある複数のコネクタと、発光ダイオード基板９の一面に取付けられて発光ダイオード２の頂部と対向し、該発光ダイオード２が発光した光を拡散させる複数のレンズ１０と、該レンズ１０がその内部に配される貫通孔を有し、レンズ１０が拡散した光を反射させる反射シート２０と、発光ダイオード基板９を複数列に並べて支持する支持体３とを備える。
【００２７】
支持体３は金属板を成形してなり、略矩形をなす平板状の板部３１及び該板部３１の周縁に連なる枠部３２を有し、該枠部３２の開放側に表示部１及び光学シート４の周縁部が支持される。尚、板部３１が第１の物体を構成している。
【００２８】
板部３１には、発光ダイオード基板９を雄螺子５にて螺子止めするための第１の取付孔３３と、補強杆６を雄螺子５にて螺子止めするための第２の取付孔３４と、その他の付設部品を取付けるための第３の取付孔３５とが設けられており、また、後記する回路基板を取付けるための筒形ボス３６が設けられている。
【００２９】
第１の取付孔３３は図３に示すように長さ方向及び幅方向に離隔して複数配してあり、第２の取付孔３４は図３に示すように長さ方向中央側の幅方向両端部に複数配してある。幅方向一端部の第２の取付孔３４は板部３１の長さ方向へ離隔して２個配してあり、幅方向他端部の第２の取付孔３４は板部３１の長さ方向へ離隔して２個ずつ合計４個配してある。
【００３０】
板部３１の一面には発光ダイオード基板９を長さ方向及び幅方向に並べて収容支持してある。板部３１における他面の長さ方向一側部には、第２コネクタにて発光ダイオード基板９のドライバに接続され、該ドライバに電圧を供給する電源回路基板が筒形ボス３６に取付けられ、長さ方向他側部には、第３コネクタにて発光ダイオード基板９のドライバに接続され、該ドライバを制御する制御回路基板が筒形ボス３６に取付けられる。
【００３１】
図８は補強杆の構成を示す斜視図、図９は補強杆の構成を示す一部を拡大した斜視図である。補強杆６は、帯状の金属板を幅方向の断面がコ字形となるように成形してなり、板部３１の長さ方向中央側の２箇所に、板部３１の幅方向に長くなるように螺子止めされる。補強杆６の長さ方向一端部には幅方向中央側が板部３１側へ窪む扁平状の可撓板部６１と、該可撓板部６１を板部３１から厚さ方向へ離隔させるための二つの凸部６２，６２とが設けられ、可撓板部６１に第２の孔としての貫通孔６３が設けられている。可撓板部６１の幅方向の断面形状は、可撓板部６１の両側縁から厚さ方向一方へ断面略Ｕ字形に湾曲し、その先端が可撓板部６１よりも外方（板部３１側）へ突出する半筒体を有する形状になっており、半筒体の先部が凸部６２，６２を構成している。尚、補強杆６が第２の物体を構成している。
【００３２】
凸部６２，６２は可撓板部６１よりも若干板部３１側へ突出し、凸部６２，６２が板部３１に当接したとき、板部３１と可撓板部６１との間に若干の空間が生ずるように構成されている。
【００３３】
補強杆６の長さ方向他端部には幅方向中央側が板部３１と離隔する方向へ突出する扁平凸部６４と、幅方向両縁から外方へ突出する可撓板部６５，６５と、該可撓板部６５，６５の縁から板部３１方向へ突出し、可撓板部６５，６５を板部３１から厚さ方向へ離隔させるための二つの凸部６６，６６とが設けられ、可撓板部６５，６５に第２の孔としての貫通孔６３が設けられている。
【００３４】
凸部６６，６６は可撓板部６５，６５よりも若干板部３１側へ突出し、凸部６６，６６が板部３１に当接したとき、板部３１と可撓板部６５，６５との間に若干の空間が生ずるように構成されている。
【００３５】
補強杆６夫々の長さ方向中央側には壁掛具が取付けられる棒状体２１が設けられている。
【００３６】
雄螺子５は第２の取付孔３４に螺入される螺子部及び頭部を有するビスからなる。
【００３７】
以上の構成において、板部３１、第２の取付孔３４、補強杆６、可撓板部６１，６５、貫通孔６３、凸部６２，６６及び雄螺子５が螺子止構造を構成している。
【００３８】
以上のように構成された光源装置Ａにおいて、板部３１の長さ方向中央側の２箇所に補強杆６が螺子止めされる際、補強杆６における幅方向両端の凸部６２，６６が板部３１に当接し、可撓板部６１，６５と板部３１との間に若干の空間が生じた状態で、雄螺子５が貫通孔６３へ挿通され、板部３１の第２の取付孔３４に螺入される。この雄螺子５の螺入力にて可撓板部６１，６５が板部３１側へ撓むとともに、板部３１が可撓板部６１側へ引き寄せられつつ撓み、可撓板部６１，６５及び板部３１の弾性復元力が雄螺子５に加わり、雄螺子５の弛緩を防ぐことができる。可撓板部６１，６５は板部３１に圧接又は接触する程度にて螺子止めされる。
【００３９】
このように、バネ座金を用いることなく補強杆６を螺子止めすることができ、部品点数を少なくすることができるとともに、雄螺子５による螺子止め作業性を高めることができる。
【００４０】
実施の形態２
図１０は本発明に係る光源装置の他の構成を示す一部を拡大した断面図である。この光源装置は、補強杆６の長さ方向中央側に設けられる棒状体２１を螺子止構造にて補強杆６に螺子止めするものであり、断面コ字形をなし、棒状体２１が固定されているベース部２２ａと、該ベース部２２ａの両端から外方へ突出する可撓板部２２ｂ，２２ｂ及び可撓板部２２ｂ，２２ｂの先端縁から可撓板部２２ｂ，２２ｂよりも補強杆６側へ突出する凸部２２ｃ，２２ｃとを有する取付体２２を備え、可撓板部２２ｂ，２２ｂに貫通孔２２ｄが設けられ、凸部２２ｃ，２２ｃにて可撓板部可撓板部２２ｂ，２２ｂと補強杆６との間に若干の空間を生じさせるように構成されている。
【００４１】
補強杆６の長さ方向中央側には貫通孔２２ｄに対応する取付孔６０が設けられている。
【００４２】
取付体２２が補強杆６に螺子止めされる際、凸部２２ｃ，２２ｃが補強杆６に当接し、可撓板部２２ｂ，２２ｂと補強杆６との間に若干の空間が生じた状態で、雄螺子５が貫通孔２２ｄへ挿通され、補強杆６の取付孔６０に螺入される。この雄螺子５の螺入力にて可撓板部２２ｂ，２２ｂが補強杆６側へ撓むとともに、補強杆６の取付孔周りが可撓板部２２ｂ側へ引き寄せられつつ僅かに撓み、可撓板部２２ｂ及び補強杆６の弾性復元力が雄螺子５に加わり、雄螺子５の弛緩を防ぐことができる。可撓板部２２ｂは補強杆６に圧接又は接触する程度にて螺子止めされる。
その他の構成及び作用は実施の形態１と同様であるため、同様の部品については同じ符号を付し、その詳細な説明及び作用効果の説明を省略する。
【００４３】
実施の形態３
図１１は本発明に係る光源装置の他の構成を示す一部を拡大した断面図である。この光源装置は、補強杆６における螺子止部の断面形状が、扁平状の可撓板部６７ａと該可撓板部６７ａの両端側の一部が略Ｕ字形に湾曲する凸部６７ｂ，６７ｂとを有し、可撓板部６７ａに貫通孔６３が設けられ、凸部６７ｂ，６７ｂにて可撓板部６７ａと板部３１との間に若干の空間を生じさせるように構成されている。
その他の構成及び作用は実施の形態１と同様であるため、同様の部品については同じ符号を付し、その詳細な説明及び作用効果の説明を省略する。
【００４４】
実施の形態４
図１２は本発明に係る光源装置の他の構成を示す一部を拡大した断面図である。この光源装置は、補強杆６における螺子止部の断面形状が、扁平状の可撓板部６８ａを有し、可撓板部６８ａに貫通孔６３が設けられており、板部３１の可撓板部６８ａと対向する位置に、可撓板部６８ａを板部３１から離隔させるための二つの凸部３７，３７が離隔して設けられている。
その他の構成及び作用は実施の形態１と同様であるため、同様の部品については同じ符号を付し、その詳細な説明及び作用効果の説明を省略する。
【００４５】
実施の形態５
図１３は本発明に係る光源装置の他の構成を示す一部を拡大した断面図である。この光源装置は、補強杆６における螺子止部の断面形状が、扁平状の可撓板部６９ａ及び該可撓板部６９ａの両端から板部３１側へ突出する凸部６９ｂ，６９ｂとを有し、可撓板部６９ａに貫通孔６３が設けられており、板部３１の可撓板部６９ａと対向する位置に、可撓板部６９ａ側へ膨出し、可撓板部６９ａとの間の空間を僅少にするための膨出部３８が設けられ、該膨出部３８の第２の取付孔３４が設けられている。
その他の構成及び作用は実施の形態１と同様であるため、同様の部品については同じ符号を付し、その詳細な説明及び作用効果の説明を省略する。
【００４６】
図１４、図１５は本発明に係る螺子止構造の適用例を示す説明図である。図１４に記載された表示装置は、二つの補強杆６の長さ方向中間に、上下に離隔して取付けられた四つのブラケット２３と、補強杆６夫々と対向配置され、二つのブラケット２３に雄螺子にて取付けられ、杆状をなす二つの第１壁掛部材２４，２４と、該第１壁掛部材２４，２４の上部間及び下部間に雄螺子にて取付けられる第２壁掛部材２５，２５と、補強杆６夫々の下端部に装着されるスタンド８とを備える。スタンド８は、補強杆６夫々に装着される二つの支柱８１と、該支柱８１の下端部に雄螺子にて螺子止めされる基台８２とを有する。この表示装置において、第１壁掛部材２４のブラケット２３への取付部、第２壁掛部材２５の第１壁掛部材２４への取付部、基台８２の支柱８１への取付部のいずれか一つ又は全てに螺子止構造を適用する。
【００４７】
図１５に記載された表示装置は、支持体３における板部３１の他面に雄螺子にて取付けられる第２補強杆２６と、電子部品が実装され、第２補強杆２６に取付けられる回路基板と、該回路基板に対して電磁波を遮断し、雄螺子にて第２補強杆２６に取付けられるシールドカバー２７と、補強杆６の下端部に雄螺子にて取付けられる一つの支柱８１と、該支柱８１の下端部に雄螺子にて螺子止めされる基台８２とを有する。この表示装置において、第２補強杆２６の板部３１への取付部、シールドカバー２７の第２補強杆２６への取付部、支柱８１の補強杆６への取付部、基台８２の支柱８１への取付部のいずれか一つ又は全てに螺子止構造を適用する。
【００４８】
尚、以上説明した実施の形態では、支持体３の板部３１又は補強杆６を第１の物体とし、補強杆６又は取付体２２を第２の物体としたが、その他、第１及び第２の物体の構成は特に制限されない。
【００４９】
また、以上説明した実施の形態では、第１及び第２の物体を構成する板部３１、補強杆６、取付体２２の夫々を可撓性を有する構成としたが、その他、第１及び第２の物体の一方を構成する部材を可撓性を有する構成とし、他方を構成する部材を非可撓性の部材としてもよい。
【符号の説明】
【００５０】
１    表示部
２    発光ダイオード（光源）
３    支持体（第１の物体）
３４  取付孔（第１の孔）
５    雄螺子
６    補強杆（第２の物体）
６１，６５，６７ａ，６８ａ，６９ａ  可撓板部
６２，６６，２２ｃ，３７，６７ｂ，６９ｂ  凸部
６３，２２ｄ  貫通孔（第２の孔）
２２  取付体（第２の物体）
Ａ    光源装置
【図１】
2011052749.tif 000003
【図２】
2011052749.tif 000004
【図３】
2011052749.tif 000005
【図４】
2011052749.tif 000006
【図５】
2011052749.tif 000007
【図６】
2011052749.tif 000008
【図７】
2011052749.tif 000009
【図８】
2011052749.tif 000010
【図９】
2011052749.tif 000011
【図１０】
2011052749.tif 000012
【図１１】
2011052749.tif 000013
【図１２】
2011052749.tif 000014
【図１３】
2011052749.tif 000015
【図１４】
2011052749.tif 000016
【図１５】
2011052749.tif 000017